(57)【要約】【課題】長時間露光機能による撮影の開始と終了との日時に関する情報を写し込むことにより、撮影時の状況がわかりやすい写真を長時間露光により撮影可能なカメラを提供すること。【解決手段】モードＳＷ１３が切り替えられてモードが長時間露光モードにされると、日時情報写込部１５は、バルブスイッチ２０が押された日時と、バルブスイッチが離された日時との双方を写真に写し込む。【選択図】　図１
2004053688.tif 000002
【特許請求の範囲】
【請求項１】
長時間露光機能を備えたカメラにおいて、
前記長時間露光機能による撮影の開始と終了との双方の日時の情報を記録する記録手段を備えることを特徴とするカメラ。
【請求項２】
標準時刻の情報を有する標準時刻電波を受信する電波時計手段をさらに備え、
前記記録手段は、前記長時間露光の一連の動作中に前記電波時計手段が受信した前記標準時刻電波に基づいて前記日時の情報を取得し記録することを特徴とする請求項１記載のカメラ。
【請求項３】
前記電波時計手段は、前記長時間露光の一連の動作中において、前記撮影の開始時および終了時の双方で前記標準時刻電波を受信し、
前記記録手段は、前記電波時計手段により受信して得られた前記撮影の開始時および終了時の双方の日時の情報を記録することを特徴とする請求項２記載のカメラ。
【請求項４】
前記電波時計手段が前記撮影の終了時に前記標準時刻電波を正常に受信できなかった場合に、
前記記録手段は、前記撮影の開始時の日時の情報を基に、前記撮影の終了時の日時の情報を取得し記録することを特徴とする請求項３記載のカメラ。
【請求項５】
前記電波時計手段が前記撮影の開始時に前記標準時刻電波を正常に受信できなかった場合に、
前記記録手段は、基準クロックに基づいてカウントアップされた日時の情報を、前記撮影の開始時の日時の情報として記録することを特徴とする請求項３または４記載のカメラ。
【請求項６】
長時間露光機能を備えたカメラにおいて、
リモコンからの遠隔操作信号を受信する受信手段と、
前記長時間露光機能による撮影中に前記遠隔操作信号が受信された場合、その受信時の日時の情報を記録する記録手段と、
を備えることを特徴とするカメラ。
【請求項７】
前記受信手段により前記遠隔操作信号が受信されてから所定時間経過後に露光を終了させる制御手段を備えることを特徴とする請求項６記載のカメラ。
【請求項８】
標準時刻の情報を有する標準時刻電波を受信する電波時計手段をさらに備え、
前記記録手段は、前記電波時計手段が受信した標準時刻電波に基づく日時の情報を記録することを特徴とする請求項６又は７記載のカメラ。
【請求項９】
前記電波時計手段が前記標準時刻電波を正常に受信できなかった場合に、
前記記録手段は、基準クロックに基づいてカウントアップされた日時の情報を記録することを特徴とする請求項８記載のカメラ。
【請求項１０】
前記長時間露光機能による露光の開始前に電源からの電力を前記電波受信手段に供給することを特徴とする請求項８または９記載のカメラ。
【請求項１１】
前記長時間露光機能による露光の開始後に電源からの電力を前記電波受信手段に供給することを特徴とする請求項８または９記載のカメラ。
【発明の詳細な説明】
【０００１】
【発明の属する技術分野】
本発明は、長時間露光機能を備えたカメラに関する。
【０００２】
【従来の技術】
従来、特開平３−１５８８３９号公報に記載されているように、長時間に渡り露光を行う長時間露光機能を備えたカメラが知られている。この長時間露光機能は、天体写真撮影などに用いられることが多い。また、カメラには、撮影日時の情報を写真に写し込み可能な写込機能を備えたものもある。この写込機能により、天体撮影などの長時間露光時においても日時の情報を写真に写し込むことが可能となる。
【０００３】
【発明が解決しようとする課題】
しかし、従来のカメラは、長時間露光時に写真に写し込める日時の情報が不足しており、撮影者が後から写真（デジタルカメラ等の画像を含む）を確認しても撮影時の状況がわかりにくいという問題点を有していた。例えば、長時間露光の際に、通常の撮影のように撮影時の日時の情報を写し込むとすると、撮影開始時又は撮影終了時のいずれか一方が写し込まれることとなり、双方の情報を知ることができない。また、流星などを撮影する場合、長時間の露光中に流星が発生しても、その発生時の日時の情報を写し込みできず、撮影者は後から写真を確認しても流星の発生時刻等を知ることが困難である。
【０００４】
本発明は、上記問題点を解消する為になされたものであり、撮影時の状況がわかりやすい写真を長時間露光により撮影可能なカメラを提供することを目的とする。
【０００５】
【課題を解決するための手段】
このような目的を達成するために、本発明に係るカメラは、長時間露光機能を備えたカメラにおいて、長時間露光機能による撮影の開始と終了との双方の日時の情報を記録する記録手段を備えて構成されている。
【０００６】
この発明によれば、長時間露光機能による撮影の開始と終了との双方の日時に関する情報を記録する。これにより、写真は、双方の日時が明確になる他、その差分から露光時間も明確になる。従って、撮影時の状況がわかりやすい写真を撮影することが可能となる。
【０００７】
また、本発明に係るカメラでは、標準時刻の情報を有する標準時刻電波を受信する電波時計手段をさらに備え、記録手段は、長時間露光の一連の動作中に電波時計手段が受信した標準時刻電波に基づいて日時の情報を記録することを特徴とする。
【０００８】
また、本発明に係るカメラでは、電波時計手段は、長時間露光の一連の動作中において、撮影の開始時および終了時の双方で標準時刻電波を受信し、記録手段は、電波時計手段により受信して得られた撮影の開始時および終了時の双方の日時の情報を記録することを特徴とする。
【０００９】
この場合には、標準時刻電波に基づく日時の情報を記録することができるので、記録する日時がより正確になる。なお、ここで述べる長時間露光の一連の動作とは、撮影動作のみならず、使用者がカメラの設定を長時間露光のモードに変更したときからそのモードが解除されるまでの時間の動作を含むものである。
【００１０】
また、本発明に係るカメラでは、電波時計手段が撮影の終了時に標準時刻電波を正常に受信できなかった場合に、記録手段は、撮影の開始時の日時の情報を基に、撮影の終了時の日時の情報を取得し記録することを特徴とする。
【００１１】
この場合には、撮影の終了時に標準時刻電波を正常に受信できなかったとしても、撮影の開始時の日時の情報に基づき撮影の終了時の日時の情報が得られ、その日時の情報が記録されるので、撮影の終了時の日時の情報を標準時刻電波に基づく高精度の日時の情報として補完することができる。
【００１２】
また、本発明に係るカメラでは、電波時計手段が撮影の開始時に標準時刻電波を正常に受信できなかった場合に、記録手段は、基準クロックに基づいてカウントアップされた日時の情報を、撮影の開始時の日時の情報として記録することを特徴とする。
【００１３】
この場合には、撮影の開始時に標準時刻電波を正常に受信できなかったとしても、基準クロックに基づいてカウントアップされた日時の情報が撮影の開始時に日時の情報として記録される。このため、撮影の開始時の標準時刻電波が正常に受信できなかった場合にも、撮影の開始時の日時の情報を得ることができ、撮影の開始時の日時の情報が欠落してしまうという事態を回避することができる。
【００１４】
また、本発明に係るカメラは、長時間露光機能を備えたカメラにおいて、リモコンからの遠隔操作信号を受信する受信手段と、長時間露光機能による撮影中に遠隔操作信号が受信された場合、その受信時の日時の情報を記録する記録手段とを備えて構成されている。
【００１５】
この発明によれば、長時間露光機能による撮影中に遠隔操作信号が受信された場合、その受信時の日時の情報が記録されるので、長時間露光中においても撮影者が記録させたい日時を記録することができる。従って、流星等の発生日時を明確にすることが可能となり、撮影時の状況がわかりやすい写真を撮影することが可能となる。
【００１６】
また、本発明に係るカメラでは、受信手段により遠隔操作信号が受信されてから所定時間経過後に露光を終了させる制御手段を備えることを特徴とする。
【００１７】
この場合には、遠隔操作信号を受信後、直ちに露光を終了してしまうという事態が回避される。従って、例えば、流星等が発生したときにリモコンを操作すれば、流星等の発生日時を写し込みできる上に、流星等が消えるまでの時間中露光を継続することができる。
【００１８】
また、本発明に係るカメラでは、標準時刻の情報を有する標準時刻電波を受信する電波時計手段をさらに備え、記録手段は、電波時計手段が受信した標準時刻電波に基づく日時の情報を記録することを特徴とする。
【００１９】
この場合には、標準時刻電波に基づく日時の情報を記録することができるので、記録する日時がより正確になる。
【００２０】
また、本発明に係るカメラでは、長時間露光機能による露光の開始前に電源からの電力を電波受信手段に供給することを特徴とする。
【００２１】
この場合には、露光の開始前に電波受信手段がオンされていることとなるので、より正確な日時を記録することができる。
【００２２】
また、本発明に係るカメラでは、長時間露光機能による露光の開始後に電源からの電力を電波受信手段に供給することを特徴とする。
【００２３】
この場合には、露光の開始後に電波受信手段がオンされることとなるので、カメラの省電力化に寄与することができる。
【００２４】
なお、上記の撮影時の状況とは、露光開始時及び終了時における日時、露光時間、並びに、流星等の発生日時などである。
【００２５】
【発明の実施の形態】
以下、添付図面に基づき、本発明の実施形態について説明する。なお、各図において同一要素には同一の符号を付し、重複する説明を省略する。また、図面の寸法比率は、説明のものと必ずしも一致していない。
【００２６】
先ず、第１実施形態に係るカメラについて説明する。
【００２７】
図１は、第１実施形態に係るカメラの構成を示すブロック図である。図１に示すように、本実施形態に係るカメラ１は、長時間露光機能を備えている。長時間露光機能とは、任意に設定された時間中露光状態を保つことや後述するシャッタボタン１１又はバルブスイッチ２０が押下されている間において露光状態を保つことなど、通常の撮影時の露光時間よりも長い時間で露光状態を保つことができる機能である。
【００２８】
カメラ１は、ＣＰＵ１０、シャッタボタン１１、シャッタ１２、モードＳＷ１３、水晶発振子１４及び日時情報写込部１５を備えている。ＣＰＵ１０には、シャッタボタン１１、シャッタ１２、モードＳＷ１３、水晶発振子１４及び日時情報写込部１５がそれぞれ接続されている。
【００２９】
ＣＰＵ１０は、カメラ１全体の制御を行うものであり、図示しないＲＯＭ等に格納されるプログラムを実行するものである。シャッタボタン１１は、撮影時に操作されるものである。このシャッタボタン１１が操作されることにより、シャッタ１２が開いてカメラ１は被写体を撮像する。
【００３０】
モードＳＷ１３は、長時間露光を行う長時間露光モードと、通常の撮影を行う通常モードとの切替が可能なスイッチである。水晶発振子１４は、基準となるクロックを発生させるものである。ＣＰＵ１０は、この基準となるクロックに基づいて秒分時、日月年のカウントアップを行う。すなわち、ＣＰＵ１０は、計時を行う機能を有している。日時情報写込部１５は、日時の情報を写し込む機能を有し、長時間露光モード時には長時間露光による撮影の開始と終了との双方の日時の情報を写し込む写込手段（記録手段）として機能する。
【００３１】
また、このようなカメラ１には、バルブスイッチ２０が接続可能になっている。バルブスイッチ２０は、その押下中においてカメラ１を露光状態のまま維持させる信号を送出するものであり、ＣＰＵ１０は、その信号を受けている間、シャッタ１２が開き続けるようにシャッタ１２の作動を制御する。
【００３２】
次に、カメラ１の長時間露光に関する処理について図２を参照して説明する。
【００３３】
先ず、Ｓ１において、長時間露光モードか否かが判断される。長時間露光モードでないと判断された場合、処理は終了する。長時間露光モードであると判断された場合、Ｓ２に移行し、バルブスイッチ２０が押されたか否かが判断される。バルブスイッチ２０が押されなかったと判断された場合、バルブスイッチ２０が押されるまでＳ２の判断が繰り返される。バルブスイッチ２０が押されたと判断された場合、Ｓ３に移行する。
【００３４】
Ｓ３では、水晶発振子１４から発生する基準クロックに基づいてカウントアップされた日時データがセットされる。ここでは、例えば、Ｓ２の処理においてバルブスイッチ２０が押された日時（秒分時、日月年等）が、ＲＡＭ（図１において図示せず）に記録される。その後、Ｓ４に移行し、シャッタ１２が開けられる。これにより、露光が開始される。そして、Ｓ５に移行する。
【００３５】
Ｓ５では、バルブスイッチ２０が離されたか否かが判断される。バルブスイッチ２０が離されなかったと判断された場合、バルブスイッチ２０が離されるまでＳ５の判断が繰り返される。バルブスイッチ２０が離されたと判断された場合、Ｓ６に移行し、シャッタ１２が閉じられる。これにより、露光が終了する。そして、Ｓ７に移行する。
【００３６】
Ｓ７では、水晶発振子１４から発生する基準クロックに基づいてカウントアップされた日時データがセットされる。ここでは、例えば、Ｓ５の処理においてバルブスイッチ２０が離された日時（秒分時、日月年等）が、ＲＡＭに記録される。そして、Ｓ８に移行する。
【００３７】
Ｓ８では、写し込みが行われる。ここでは、Ｓ３及びＳ７の処理でＲＡＭに記録された日時が写真に写し込まれる。すなわち、Ｓ８の処理では、長時間露光による撮影の開始と終了との双方の日時の情報を写真に記録していることになる。その後、一連の処理は終了する。
【００３８】
このようなカメラ１で、撮影した場合の撮影結果の例を図３に示す。図３に示すように、写真には、長時間露光による撮影の開始と終了との双方の日時の情報が写し込まれている。また、露光時間も明確になっている。つまり、図３の場合、長時間露光開始の日時が２００２年１０月１１日２３時５６分２０秒であり、長時間露光終了の日時が２００２年１０月１２日０４時０２分４０秒であるので、露光時間は４時間６分２０秒となる。
【００３９】
以上のように、本実施形態のカメラ１によれば、長時間露光機能による撮影の開始と終了との双方の日時に関する情報を記録する。これにより、写真は、双方の日時が明確になる他、その差分から露光時間も明確になる。従って、撮影時の状況がわかりやすい写真を撮影することが可能となる。
【００４０】
次に、第２実施形態に係るカメラについて説明する。
【００４１】
図４は、第２実施形態に係るカメラの構成を示すブロック図である。図４に示すように、本実施形態に係るカメラ２は、第１実施形態に係るカメラ１とほぼ同様であるが、内部に電波時計１６を備えている点で異なっている。
【００４２】
電波時計１６は、ＣＰＵ１０に接続されている。この電波時計１６は、標準時刻の情報を有する標準時刻電波を受信する電波時計手段として機能するものであり、例えば、標準時刻電波を受信するためアンテナ及び回路を備えている。このためカメラ２は、ＣＰＵ１０により計時されている時刻を、標準時刻電波に基づく標準時刻に修正する機能を有している。さらに、この機能を備えているため、日時情報写込部１５は、電波時計１６が受信した標準時刻電波に基づく日時の情報を写し込むことが可能となる。
【００４３】
次に、カメラ２の長時間露光に関する処理について図５及び６を参照して説明する。
【００４４】
先ず、Ｓ１１において、長時間露光モードか否かが判断される。長時間露光モードでないと判断された場合、処理は終了する。長時間露光モードであると判断された場合、Ｓ１２に移行し、バルブスイッチ２０が押されたか否かが判断される。バルブスイッチ２０が押されなかったと判断された場合、バルブスイッチ２０が押されるまでＳ１２の判断が繰り返される。バルブスイッチ２０が押されたと判断された場合、Ｓ１３に移行する。
【００４５】
Ｓ１３では、水晶発振子１４から発生する基準クロックに基づいてカウントアップされた日時データがセットされる。ここでは、例えば、Ｓ１２の処理においてバルブスイッチ２０が押された日時（秒分時、日月年等）が、ＲＡＭ（図４において図示せず）に記録される。その後、Ｓ１４に移行し、シャッタ１２が開けられる。これにより、露光が開始される。そして、Ｓ１５に移行する。
【００４６】
Ｓ１５では、標準時刻電波の受信が開始される。ここでは、ＣＰＵ１０によりオンされた電波時計１６よって受信が開始される。その後、Ｓ１６に移行し、標準時刻電波が正常に受信されたか否かが判断される。標準時刻電波が正常に受信されなかったと判断された場合、図６のＳ１８に移行する。
【００４７】
Ｓ１８では、バルブスイッチ２０が離されたか否かが判断される。バルブスイッチ２０が離されなかったと判断された場合、バルブスイッチ２０が離されるまでＳ１８の判断が繰り返される。バルブスイッチ２０が離されたと判断された場合、Ｓ１９に移行し、シャッタ１２が閉じられる。これにより、露光が終了する。そして、Ｓ２０に移行する。
【００４８】
Ｓ２０では、水晶発振子１４から発生する基準クロックに基づいてカウントアップされた日時データがセットされる。ここでは、例えば、Ｓ１８の処理においてバルブスイッチ２０が離された日時（秒分時、日月年等）が、ＲＡＭに記録される。そして、Ｓ２１に移行する。
【００４９】
Ｓ２１では、写し込みが行われる。ここでは、Ｓ１３及びＳ２０の処理でＲＡＭに記録された日時が写真に写し込まれる。すなわち、Ｓ２１の処理では、長時間露光による撮影の開始と終了との双方の日時の情報を写真に記録していることになる。その後、一連の処理は終了する。なお、Ｓ１３の処理を設けることにより、標準時刻電波が正常に受信できなかった場合に、撮影の開始時の日時の情報が欠落してしまうという事態を回避している。
【００５０】
一方、図５のＳ１６において、標準時刻電波が正常に受信されたと判断された場合、Ｓ１７に移行する。Ｓ１７では、電波時計１６による日時データがセットされる。この処理において、電波時計１６による日時はＲＡＭに記録される。ここでは、標準時刻電波の受信するのに１分程度時間が経過する場合も考えられるため、Ｓ１４のシャッタ１２が開けられた時刻から標準時刻電波の受信完了時の時刻までをＣＰＵ１０により計時し、その計時した時間を受信完了時の時刻から減算して、ＲＡＭに記録させてもよい。
【００５１】
その後、図６のＳ２２に移行し、バルブスイッチ２０が離されたか否かが判断される。バルブスイッチ２０が離されなかった場合、バルブスイッチ２０が離されるまでＳ２２の判断が繰り返される。バルブスイッチ２０が離された場合、Ｓ２３に移行し、シャッタ１２が閉じられる。これにより、露光が終了する。そして、Ｓ２４に移行する。
【００５２】
Ｓ２４では、再度、標準時刻電波の受信が開始される。そして、Ｓ２５に移行し、標準時刻電波が正常に受信されたか否かが判断される。標準時刻電波が正常に受信されなかったと判断された場合、Ｓ２０に移行する。Ｓ２０の処理は前述した通りであり、Ｓ２１の処理を経て、処理が終了する。ただし、この場合にはＳ１５の処理で標準時刻電波を受信しているため、ＣＰＵ１０による計時のズレは、標準時刻電波を受信してから撮影終了時までの分でしかなく、Ｓ２０においては高精度の日時の情報が写真に記録されたと言える。
【００５３】
Ｓ２４において、標準時刻電波が正常に受信されたと判断された場合、Ｓ２６に移行する。Ｓ２６では、電波時計１６による日時データがセットされる。この処理において、電波時計１６による日時はＲＡＭに記録される。ここでは、Ｓ１７での処理と同様に、計時した時間を減算してＲＡＭに記録させてもよい。そして、Ｓ２７に移行する。
【００５４】
Ｓ２７では、写し込みが行われる。ここでは、Ｓ１７及びＳ２６の処理でＲＡＭに記録された日時が写真に写し込まれる。すなわち、Ｓ２７の処理では、長時間露光による撮影の開始と終了との双方の日時の情報を写真に記録していることになる。その後、一連の処理は終了する。
【００５５】
このようなカメラ２で、撮影した場合の撮影結果は、前述した図３のものと同様である。ただし、カメラ２は、電波時計による日時を写し込んでいるため、カメラ２の日時に関する情報がズレていたとしても修正されて写し込まれている。
【００５６】
以上のように、本実施形態のカメラ２によれば、第１実施形態に係るカメラ１と同様に、撮影時の状況がわかりやすい写真を撮影することが可能となる。
【００５７】
また、本実施形態のカメラ２によれば、標準時刻電波に基づく日時の情報を記録することができるので、記録する日時がより正確になる。特に、カメラ２の日時に大幅なズレがあった場合には、大幅にズレた日時を記録してしまうという事態を回避することができる。
【００５８】
また、本実施形態のカメラ２によれば、撮影の終了時に標準時刻電波を正常に受信できなかったとしても、撮影の開始時の日時の情報に基づき撮影の終了時の日時の情報が得られ、その日時の情報が記録されるので、撮影の終了時の日時の情報を標準時刻電波に基づく高精度の日時の情報として補完することができる。
【００５９】
また、本実施形態のカメラ２によれば、撮影の開始時に標準時刻電波を正常に受信できなかったとしても、基準クロックに基づいてカウントアップされた日時の情報が撮影の開始時に日時の情報として記録される。このため、撮影の開始時の標準時刻電波が正常に受信できなかった場合にも、撮影の開始時の日時の情報を得ることができ、撮影の開始時の日時の情報が欠落してしまうという事態を回避することができる。
【００６０】
次に、第３実施形態に係るカメラについて説明する。
【００６１】
図７は、第３実施形態に係るカメラの構成を示すブロック図である。図７に示すように、本実施形態に係るカメラ３は、第１実施形態に係るカメラ１とほぼ同様であるが、リモコン受信部１７を備えている点で異なっている。
【００６２】
リモコン受信部１７は、ＣＰＵ１０に接続されている。このリモコン受信部１７は、リモコン送信器３０から送信される赤外線等の遠隔操作信号を受信して、カメラ１から離れた使用者による操作を可能としている。すなわち、リモコン受信部１７は、リモコン送信器（リモコン）３０からの遠隔操作信号を受信する受信手段として機能する。
【００６３】
また、日時情報写込部１５は、長時間露光機能による撮影中に遠隔操作信号が受信された場合、その受信時の日時を写し込む写込手段（記録手段）として機能する。
【００６４】
次に、カメラ３の長時間露光に関する処理について図８を参照して説明する。
【００６５】
先ず、モードＳＷ１３が操作され、通常モードから長時間露光モードへ切り替えられる。そして、図８に従う処理が実行される。図８のＳ３１において、レリーズオンされたか否かが判断される。すなわち、バルブスイッチ２０が押されたか又はシャッタボタン１１が押されたか否かが判断される。レリーズオンされなかったと判断された場合、レリーズオンされるまでＳ３１の判断が繰り返される。レリーズオンされたと判断された場合、Ｓ３２に移行し、シャッタ１２が開けられる。これにより、露光が開始される。そして、Ｓ３３に移行する。
【００６６】
Ｓ３３では、遠隔操作信号が受信されたか否かが判断される。遠隔操作信号が受信されなかったと判断された場合、遠隔操作信号が受信されたと判断されまでＳ３３の判断が繰り返される。遠隔操作信号が受信されたと判断された場合、Ｓ３４に移行し、水晶発振子１４から発生する基準クロックに基づいてカウントアップされた日時データがセットされる。ここでは、例えば、Ｓ３３の処理において遠隔操作信号が受信された日時（秒分時、日月年等）が、ＲＡＭ（図７において図示せず）に記録される。
【００６７】
その後、Ｓ３５に移行し、カメラ３は所定時間、例えば３秒間待機状態となる。そして、Ｓ３６に移行し、シャッタ１２が閉じられる。これにより、露光が終了する。なお、このＳ３５及びＳ３６の処理はＣＰＵ１０により制御されている。すなわち、ＣＰＵ１０は、受信手段により遠隔操作信号が受信されてから所定時間、例えば３秒間経過後に露光を終了させる制御手段として機能している。
【００６８】
そして、Ｓ３７に移行し、写し込みが行われる。ここでは、Ｓ３４の処理でＲＡＭに記録された日時が写真に写し込まれる。すなわち、遠隔操作信号受信時の日時の情報が写真に記録されていることとなる。
【００６９】
このようなカメラ３で、撮影した場合の撮影結果の例を図９に示す。図９に示す写真には、日時の情報が写し込まれている。この写し込まれている日時は、撮影者がリモコン送信器３０を操作した日時である。これにより、流星等の発生した日時を明確にすることが可能となっているのは明らかである。
【００７０】
以上のように、本実施形態のカメラ３によれば、長時間露光機能による撮影中に遠隔操作信号が受信された場合、その受信時の日時の情報が記録されるので、長時間露光中においても撮影者が記録させたい日時を記録することができる。従って、流星等の発生日時を明確にすることが可能となり、撮影時の状況がわかりやすい写真を撮影することが可能となる。
【００７１】
また、本実施形態のカメラ３によれば、遠隔操作信号を受信後、直ちに露光を終了してしまうという事態が回避される。従って、流星等の発生日時を明確にすることが可能となる上に、流星等が消えるまでの時間中露光を継続することができる。
【００７２】
次に、第４実施形態に係るカメラについて説明する。
【００７３】
図１０は、第４実施形態に係るカメラの構成を示すブロック図である。図１０に示すように、本実施形態に係るカメラ４は、第３実施形態に係るカメラ３とほぼ同様であるが、電波時計１６を備えている点で異なっている。なお、電波時計１６は図４に示すものと同様である。
【００７４】
このため、カメラ４は、ＣＰＵ１０により計時されている時刻を、標準時刻電波に基づく標準時刻に修正する機能を有している。さらに、この機能を備えているため、日時情報写込部１５は、電波時計１６が受信した標準時刻電波に基づく日時の情報を写し込むことが可能となる。
【００７５】
次に、カメラ４の長時間露光に関する処理について図１１及び図１２を参照して説明する。
【００７６】
先ず、モードＳＷ１３が操作され、通常モードから長時間露光モードへ切り替えられる。そして、図１１及び図１２に従う処理が実行される。図１１のＳ４１において、電波時計１６がオンされる。すなわち、電源部（図１０において図示せず）からの電力が電波時計１６に供給される。その後、Ｓ４２に移行し、レリーズオンされたか否かが判断される。すなわち、バルブスイッチ２０が押されたか又はシャッタボタン１１が押されたか否かが判断される。レリーズオンされなかったと判断された場合、レリーズオンされるまでＳ４２の判断が繰り返される。レリーズオンされたと判断された場合、Ｓ４３に移行し、シャッタ１２が開けられる。これにより、露光が開始される。そして、Ｓ４４に移行する。
【００７７】
Ｓ４４では、遠隔操作信号が受信されたか否かが判断される。遠隔操作信号が受信されなかったと判断された場合、遠隔操作信号が受信されたと判断されまでＳ４４の判断が繰り返される。遠隔操作信号が受信されたと判断された場合、Ｓ４５に移行し、水晶発振子１４から発生する基準クロックに基づいてカウントアップされた日時データがセットされる。ここでは、例えば、Ｓ４４の処理において遠隔操作信号が受信された日時（秒分時、日月年等）が、ＲＡＭ（図１０において図示せず）に記録される。
【００７８】
その後、Ｓ４６に移行し、標準時刻電波の受信が開始される。ここでは、ＣＰＵ１０によりオンされた電波時計１６よって受信が開始される。その後、Ｓ４７に移行し、カメラ４は所定時間待機状態となる。そして、図１２のＳ４８に移行し、シャッタ１２が閉じられる。これにより、露光が終了する。なお、このＳ４７及びＳ４８の処理はＣＰＵ１０により制御されている。すなわち、ＣＰＵ１０は、受信手段により遠隔操作信号が受信されてから所定時間、例えば３秒間経過後に露光を終了させる制御手段として機能している。
【００７９】
そして、Ｓ４９に移行し、標準時刻電波が正常に受信されたか否かが判断される。標準時刻電波が正常に受信されなかったと判断された場合、Ｓ５０に移行する。Ｓ５０では、Ｓ４４の処理において遠隔操作信号を受信した日時（秒分時、日月年等）が、写し込みに用いられる日時であると決定される。そして、Ｓ５２に移行する。
【００８０】
一方、Ｓ４９において、標準時刻電波が正常に受信されたと判断された場合、Ｓ５１に移行し、電波時計１６による日時データがセットされる。この処理において、電波時計１６による日時はＲＡＭに記録される。ここでは、標準時刻電波の受信するのに１分程度時間が経過する場合も考えられるため、Ｓ４８の遠隔操作信号が受信された時刻から標準時刻電波の受信完了時の時刻までをＣＰＵ１０により計時して、その時間を受信完了時の時刻から減算するなどをすればよい。
【００８１】
その後、Ｓ５２に移行し、電波時計１６がオフされる。すなわち、電源部から電波時計１６への電力の供給が遮断される。そして、Ｓ５３に移行し、写し込みが行われる。ここでは、Ｓ４４又はＳ５１の処理でＲＡＭに記録された日時が写真に写し込まれる。その後、一連の処理は終了する。
【００８２】
このようなカメラ４で、撮影した場合の撮影結果は、前述した図９のものと同様である。ただし、カメラ４は、電波時計による日時を写し込んでいるため、カメラ４の日時に関する情報がズレていたとしても修正されて写し込まれている。
【００８３】
以上のように、本実施形態のカメラ４によれば、第３実施形態に係るカメラ４と同様に、流星等の発生日時を明確にすることが可能となり、撮影時の状況がわかりやすい写真を撮影することが可能となる。また、流星等の発生日時を明確にすることが可能となる上に、流星等が消えるまでの時間中露光を継続することができる。
【００８４】
また、本実施形態のカメラ４によれば、標準時刻電波に基づく日時の情報を記録することができるので、記録する日時がより正確になる。
【００８５】
また、本実施形態のカメラ４によれば、露光の開始前に電波時計１６がオンされていることとなるので、より正確な日時を記録することができる。
【００８６】
次に、第５実施形態に係るカメラについて説明する。
【００８７】
本実施形態に係るカメラ５の構成は、第４実施形態に係るカメラ３と同様である。ただし、本実施形態に係るカメラ５は、電波時計１６をオンするタイミングが第４実施形態に係るカメラ４と異なっている。
【００８８】
次に、カメラ５の長時間露光に関する処理について図１３を参照して説明する。
【００８９】
先ず、モードＳＷ１３が操作され、通常モードから長時間露光モードへ切り替えられる。そして、図１３及び図１４に従う処理が実行される。図１３のＳ６１において、レリーズオンされたか否かが判断される。すなわち、バルブスイッチ２０が押されたか又はシャッタボタン１１が押されたか否かが判断される。レリーズオンされなかったと判断された場合、レリーズオンされるまでＳ６１の判断が繰り返される。レリーズオンされたと判断された場合、Ｓ６２に移行し、シャッタ１２が開けられる。これにより、露光が開始される。そして、Ｓ６３に移行する。
【００９０】
Ｓ６３では、遠隔操作信号が受信されたか否かが判断される。遠隔操作信号が受信されなかったと判断された場合、遠隔操作信号が受信されたと判断されまでＳ６３の判断が繰り返される。遠隔操作信号が受信されたと判断された場合、Ｓ６４に移行し、水晶発振子１４から発生する基準クロックに基づいてカウントアップされた日時データがセットされる。ここでは、例えば、Ｓ６３の処理において遠隔操作信号が受信された日時（秒分時、日月年等）が、ＲＡＭ（図９において図示せず）に記録される。
【００９１】
その後、Ｓ６５に移行し、ＣＰＵ１０による計時が開始される。そして、Ｓ６６に移行し、電波時計１６がオンされる。すなわち、電源部からの電力が電波時計１６に供給される。その後、Ｓ６７に移行し、標準時刻電波の受信が開始される。ここでは、ＣＰＵ１０によりオンされた電波時計１６よって受信が開始される。その後、図１３のＳ６８〜図１４のＳ７４までの処理が実行される。これらの処理は、図１１及び図１２に示したＳ４７〜Ｓ５３までの処理と同様である。そして、一連の処理は終了する。
【００９２】
ここで、遠隔操作信号受信（Ｓ６３：ＹＥＳ）後に水晶発振子１４による日時がセットされる（Ｓ６４）のは、後の処理で標準時刻電波が受信できなかったときのために、とりあえず水晶発振子１４による日時をＲＡＭに記録させて遠隔操作信号受信時の日時の情報を確保しておくためである。
【００９３】
さらに、計時を開始（Ｓ６５）しているのは、標準時刻電波受信時の日時から計時時間を減算して遠隔操作信号受信時の日時を算出するためである。
【００９４】
このようなカメラ５で、撮影した場合の撮影結果は、前述した図９のものと同様である。ただし、カメラ５は、電波時計による日時を写し込んでいるため、カメラ５の日時に関する情報がズレていたとしても修正されて写し込まれている。
【００９５】
以上のように、本実施形態のカメラ５によれば、第４実施形態に係るカメラ４と同様に、流星等の発生日時を明確にすることが可能となり、撮影時の状況がわかりやすい写真を撮影することが可能となる。また、流星等の発生日時を明確にすることが可能となる上に、流星等が消えるまでの時間中露光を継続することができる。さらに、標準時刻電波に基づく日時を記録することができるので、記録する日時がより正確になる。
【００９６】
また、本実施形態のカメラ５によれば、露光の開始後に電波時計１６がオンされることとなるので、カメラ５の省電力化に寄与することができる。
【００９７】
なお、上記の実施形態では、日時の情報をフィルムに写し込んで記録させるカメラ１〜５について説明したが、本発明はこれに限られるものではなく、フィルムの磁気記録領域に日時の情報を記録させるものに適用してもよく、メモリに日時の情報を記録させるデジタルスチルカメラ（デジタルスチルカメラ一体型電子機器を含む）やデジタルビデオカメラなどに適用してもよい。
【００９８】
また、上記の実施形態では、バルブスイッチ２０の押し離しにより露光時間を制御しているが、本発明はこれに限られるものではなく、シャッタボタン１１の押し離しによって露光時間を制御してもよく、露光する時間を予め設定して露光時間を制御してもよい。
【００９９】
また、第２実施形態では、標準時刻電波の受信に１分程度時間が経過する場合には、シャッタ１２が開けられた時刻から標準時刻電波の受信完了時の時刻までをＣＰＵ１０により計時して、その時間を受信完了時の時刻から減算するようにしているが、本発明はこれに限られるものではなく、計時を開始するタイミングは適宜設定可能である。例えば、バルブスイッチ２０が押された時刻から計時を開始するようにしてもよい。
【０１００】
また、第３実施形態、第４実施形態及び第５実施形態では、遠隔操作信号受信後、シャッタ１２を閉じるようにしているが、本発明はこれに限られるものではない。例えば、以下のように変更可能である。複数の流星等を１枚の写真に撮影する場合、リモコン受信部１７は、第１の遠隔操作信号と第２の遠隔操作信号とを受信可能とし、リモコン送信器３０は、第１の遠隔操作信号と第２の遠隔操作信号と送信可能とする。カメラ３は、第１の遠隔操作信号を受信した場合には、日時に関する情報をＲＡＭに記録するが、シャッタ１２を閉じないようにし、第２の遠隔操作信号を受信した場合には、日時に関する情報をＲＡＭに記録し、所定時間経過後にシャッタ１２を閉じるようにする。このようにすれば、複数の流星等を撮影する場合に、各流星の発生時刻等を明確にすることが可能となる。
【０１０１】
また、第２実施形態、第４実施形態及び第５実施形態では、標準時刻電波を受信している。このため、任意に設定された時間中露光状態を保つ長時間露光の場合、標準時刻電波を利用することで任意に設定された時間をカウントするタイマ回路等を不要にすることが可能となる。すなわち、標準時刻電波を常時受信し、標準時刻電波のパルス数に基づいて計時を行うようにすれば、長時間を計時するタイマ回路等を不要にできる。
【０１０２】
【発明の効果】
以上詳細に説明したように本発明によれば、撮影時の状況がわかりやすい写真を撮影できる。
【図面の簡単な説明】
【図１】第１実施形態に係るカメラ１の構成を示すブロック図である。
【図２】第１実施形態に係るカメラ１の長時間露光に関する処理を示すフローチャートである。
【図３】第１実施形態に係るカメラ１で長時間露光による撮影した場合の撮影結果の例を示す図である。
【図４】第２実施形態に係るカメラ２の構成を示すブロック図である。
【図５】第２実施形態に係るカメラ２の長時間露光に関する処理を示すフローチャートであり、処理の前半部を示している。
【図６】第２実施形態に係るカメラ２の長時間露光に関する処理を示すフローチャートであり、処理の後半部を示している。
【図７】第３実施形態に係るカメラ３の構成を示すブロック図である。
【図８】第３実施形態に係るカメラ３の長時間露光に関する処理を示すフローチャートである。
【図９】第３実施形態に係るカメラ３で長時間露光による撮影した場合の撮影結果の例を示す図である。
【図１０】第４実施形態に係るカメラ４の構成を示すブロック図である。
【図１１】第４実施形態に係るカメラ４の長時間露光に関する処理を示すフローチャートであり、処理の前半部を示している。
【図１２】第４実施形態に係るカメラ４の長時間露光に関する処理を示すフローチャートであり、処理の後半部を示している。
【図１３】第５実施形態に係るカメラ５の長時間露光に関する処理を示すフローチャートであり、処理の前半部を示している。
【図１４】第５実施形態に係るカメラ５の長時間露光に関する処理を示すフローチャートであり、処理の後半部を示している。
【符号の説明】
１，２，３，４，５…カメラ、１３…モードＳＷ、１４…水晶発振子、１５…日時情報写込部、１６…電波時計、１７…リモコン受信部。
【図１】
2004053688.tif 000003
【図２】
2004053688.tif 000004
【図３】
2004053688.tif 000005
【図４】
2004053688.tif 000006
【図５】
2004053688.tif 000007
【図６】
2004053688.tif 000008
【図７】
2004053688.tif 000009
【図８】
2004053688.tif 000010
【図９】
2004053688.tif 000011
【図１０】
2004053688.tif 000012
【図１１】
2004053688.tif 000013
【図１２】
2004053688.tif 000014
【図１３】
2004053688.tif 000015
【図１４】
2004053688.tif 000016